(57)【要約】【課題】焼却炉１から排出される排ガスを浄化するための排ガス処理装置において、プレコート手段（Ｓ４，Ｓ５）を実行するときの薬剤の使用量を可及的に節減する。【解決手段】排ガス処理装置は、前記排ガスに含まれる粒子状物質を捕集するバグフィルタ３と、このバグフィルタ３のろ布に前記排ガスに含まれる酸性ガスの中和用の薬剤と不活性剤との混合物からなるプレコート層を形成するプレコート手段と、を備える。プレコート手段は、バグフィルタ３入口における酸性ガスの濃度を計測し、焼却炉１の焼却運転を所定時間行うことに伴い発生する排ガス中の酸性ガスを中和処理するために必要な中和薬剤の量と、前記プレコート層を所定厚さにするために必要な吹込み量とをそれぞれ算出し、これらの算出結果に基づいて混合した前記中和薬剤と前記不活性剤との混合物を前記バグフィルタ３の入口側の煙道に所定時間内に一定量まとめて吹き込む【選択図】図２
2019070471.tif 000002
【特許請求の範囲】
【請求項１】
焼却炉から排出される排ガスを浄化するための排ガス処理装置であって、
前記排ガスに含まれる粒子状物質を捕集するバグフィルタと、このバグフィルタのろ布に前記排ガスに含まれる酸性ガスの中和薬剤と前記酸性ガスに反応しない不活性剤との混合物からなるプレコート層を形成するプレコート手段と、を備え、
前記プレコート手段は、前記バグフィルタ入口における酸性ガスの濃度を計測し、前記焼却炉の焼却運転を所定時間行うことに伴い発生する排ガス中の酸性ガスを中和処理するために必要な中和薬剤の量と、前記プレコート層を所定厚さにするために必要な吹込み量とをそれぞれ算出し、これらの算出結果に基づき前記中和薬剤に対する前記不活性剤の混合割合を算出し、この算出結果に基づいて混合した前記中和薬剤と前記不活性剤との混合物を前記バグフィルタの入口側の煙道に所定時間内に一定量まとめて吹き込む、ことを特徴とする排ガス処理装置。
【請求項２】
請求項１に記載の排ガス処理装置において、
前記プレコート手段を実行する前に前記ろ布表面の付着物を払落すための払落し手段をさらに備え、
前記不活性剤は、前記払落し手段で払落されて捕集された捕集灰とされる、ことを特徴とする排ガス処理装置。
【請求項３】
請求項１または２に記載の排ガス処理装置において、
前記不活性剤は、珪藻土またはアルミナ等の１０〜４０μｍの粉体とされ、当該不活性剤が吹き込み前に磁化されて使用される、ことを特徴とする排ガス処理装置。
【請求項４】
請求項１から３のいずれか１項に記載の排ガス処理装置において、
前記プレコート手段は、前記薬剤を貯留するとともに要求に応じた量の薬剤を排出する薬剤供給装置と、前記不活性剤を貯留するとともに要求に応じた量の不活性剤を排出する不活性剤供給装置と、前記薬剤供給装置から所定量の前記薬剤を、また前記不活性剤供給装置から所定量の前記不活性剤をそれぞれ所定割合で取り出して混合して前記バグフィルタの排ガス導入口寄りの煙道にまとめて吹き込むための吹き込み装置と、前記各装置を制御するための制御装置と、を含み、
前記制御装置は、排ガス処理中に前記プレコート手段を実行する必要があるか否かを判定し、肯定判定したときに前記プレコート手段を実行させる監視手段を含む、ことを特徴とする排ガス処理装置。
【請求項５】
焼却炉から排出される排ガスを浄化するための排ガス処理方法であって、
前記排ガスに含まれる粒子状物質を捕集するバグフィルタのろ布に、前記排ガスに含まれる酸性ガスの中和薬剤と前記酸性ガスに反応しない不活性剤との混合物からなるプレコート層を形成するプレコート処理を備え、
前記プレコート処理では、前記バグフィルタ入口における酸性ガスの濃度を計測し、前記焼却炉の焼却運転を所定時間行うことに伴い発生する排ガス中の酸性ガスを中和処理するために必要な中和薬剤の量と、前記プレコート層を所定厚さにするために必要な吹込み量とをそれぞれ算出し、これらの算出結果に基づき前記中和薬剤に対する前記不活性剤の混合割合を算出し、この算出結果に基づいて混合した前記中和薬剤と前記不活性剤との混合物を前記バグフィルタの入口側の煙道に所定時間内でまとめて吹き込む、ことを特徴とする排ガス処理方法。
【発明の詳細な説明】
【技術分野】
【０００１】
本発明は、焼却炉から排出される排ガスを浄化するための排ガス処理装置、ならびに排ガス処理方法に関する。
【背景技術】
【０００２】
焼却炉から排出される排ガスには、焼却対象となるごみの種類によって塩化水素（ＨＣｌ）や、硫黄酸化物（ＳＯｘ）など、有害な酸性ガスが含まれている。
【０００３】
例えば特許文献１には、前記排ガスに含まれる煤塵を捕集するバグフィルタ入口側の煙道に、ナトリウム系薬剤を投入することにより、当該煙道を流れる排ガスに含まれる前記酸性ガスを前記ナトリウム系薬剤で中和させて除去するということが記載されている。
【０００４】
また、この特許文献１には、前記バグフィルタで捕集された飛灰（排ガス中の煤塵＋ナトリウム系薬剤と酸性ガスの反応生成物＋未反応ナトリウム系薬剤）を当該バグフィルタの底部より取り出し、この飛灰を前記バグフィルタ入口側の煙道に戻すということが記載されている。
【０００５】
例えば特許文献２には、前記排ガスに含まれる粒子状物質を捕集する集塵機の上流側に、重曹からなる脱塩剤を供給することにより、当該煙道を流れる排ガスに含まれる前記酸性ガスの濃度を低減させるとともに、前記集塵機で捕集された飛灰の一部を当該集塵機の入口側に戻すように循環するということが記載されている。
【０００６】
これらの特許文献１，２は、バグフィルタ、集塵機の上流側の煙道に薬剤を連続的に供給する方式であるが、その方式に比べて、未反応薬剤量の低減すなわち薬剤の使用量を低減することが可能とされるプレコート方式を採用した先行技術として、特許文献３，４がある。
【０００７】
特許文献３には、プレコート式のバグフィルタ装置の濾布表面に、炭素系吸着剤を付着させてから、この吸着剤層の表面上に予想必要量より少なめの中和薬剤を形成することにより、２段のプレコート層を形成するとともに、前記バグフィルタ装置で捕集された飛灰の一部を再燃焼設備に送還するということが記載されている。
【０００８】
特許文献４には、汚染空気を浄化するプレコート式のバグフィルタにおいて、プリーツ型フィルタ表面にプレコート材を層状に形成するとともに、前記汚染空気中に含まれる特殊ガスの種類に応じて、前記プレコート材を選択するということが記載されている。
【０００９】
そして、特許文献４には、汚染空気にＰＣＢやダイオキシンが含まれる場合、前記プレコート材として、珪藻土、石灰、粒状・粉末活性炭、ゼオライトなどの中から１つあるいは組み合わせて使用するということが記載されており、また、汚染空気にホルムアルデヒド、フッ化水素、塩素、塩化水素、亜硫酸ガスに加え、微粉炭、粘着固形物質のような場合、前記プレコート材として、消石灰、炭酸カルシウム、活性白土、粉末活性炭、ゼオライトなどの中から１つあるいは組み合わせて使用するということが記載されている。
【先行技術文献】
【特許文献】
【００１０】
【特許文献１】特開２０１５−３７７６４号公報
【特許文献２】特許第６１９９３２９号公報
【特許文献３】特許第３４２３２６５号公報
【特許文献４】特開２０１１−４１９３４号公報
【発明の概要】
【発明が解決しようとする課題】
【００１１】
そもそも、上記特許文献３に記載されるプレコート層を中和薬剤のみで形成すると、排ガス中の酸性ガスが確実に消石灰と接することから、酸性ガスの除去効果が高く、必要以上に酸性ガス濃度を低減し、かつ排ガス処理後の濃度を制御できず、薬品量が過剰に必要になるという問題があった。
【００１２】
上記特許文献３には、その段落００５７に「高価な活性炭等の炭素系吸着剤を有効に使い切ることにより無駄な排出を防止し、必要量だけ供給された消石灰等の中和薬剤を再利用できるために、薬剤費の節減が可能になる」と記載されているが、前記炭素系吸着剤を下地の層として形成するとともに前記中和薬剤を最上層とする２段のプレコート層を形成しているのでは前記最上層の表面積が小さくなるわけではないので、前記中和薬剤の使用量を節減するにも限界がある。
【００１３】
しかも、上記特許文献３の前記段落００５７に明記されているように前記炭素系吸着剤が高価であることから、プレコート層の材料コストならびにランニングコストが嵩む結果になることが懸念される。
【００１４】
また、上記特許文献４では、前記汚染空気中に含まれる特殊ガスの種類に応じて、前記プレコート材を複数種類の中の１種類または組み合わせて使用すると記載されているが、あくまでも前記特殊ガスを中和または吸着させることにより除去するための材料を組み合わせることになるので、材料コストならびにランニングコストが嵩むことが明らかである。この特許文献４には、当然ながら、前記プレコート材の材料コストならびにランニングコストを節減するという技術思想の記載ならびに示唆はないと言える。
【００１５】
このような事情に鑑み、本発明は、焼却炉から排出される排ガスを浄化する排ガス処理装置において、プレコート層を形成するときの中和薬剤の使用量を可及的に節減することを目的としている。
【００１６】
また、本発明は、焼却炉から排出される排ガスを浄化する排ガス処理方法において、プレコート層を形成するときの中和薬剤の使用量を可及的に節減することを目的としている。
【課題を解決するための手段】
【００１７】
本発明は、焼却炉から排出される排ガスを浄化するための排ガス処理装置であって、前記排ガスに含まれる粒子状物質を捕集するバグフィルタと、このバグフィルタのろ布に前記排ガスに含まれる酸性ガスの中和薬剤と前記酸性ガスに反応しない不活性剤との混合物からなるプレコート層を形成するプレコート手段と、を備え、前記プレコート手段は、前記バグフィルタ入口における酸性ガスの濃度を計測し、前記焼却炉の焼却運転を所定時間行うことに伴い発生する排ガス中の酸性ガスを中和処理するために必要な中和薬剤の量と、前記プレコート層を所定厚さにするために必要な吹込み量とをそれぞれ算出し、これらの算出結果に基づき前記中和薬剤に対する前記不活性剤の混合割合を算出し、この算出結果に基づいて混合した前記中和薬剤と前記不活性剤との混合物を前記バグフィルタの入口側の煙道に所定時間内に一定量まとめて吹き込む、ことを特徴としている。
【００１８】
この構成では、要するに、プレコート層の材料として中和薬剤にそれを嵩増しするための不活性剤を混合する形態にしている。
【００１９】
これにより、前記プレコート層を前記中和薬剤のみとする場合に比べて、過剰な除去がなくなり、前記中和薬剤の使用量を可及的に節減することが可能になるとともに、前記不活性剤が酸性ガスに反応しない安価な材料で良いことから、材料コストならびにランニングコストの低減に貢献できるようになる。
【００２０】
ところで、上記排ガス処理装置において、前記プレコート手段を実行する前に前記ろ布表面の付着物を払落すための払落し手段をさらに備え、前記不活性剤は、前記払落し手段で払落されて捕集された捕集灰とされる、構成とすることが好ましい。
【００２１】
前記捕集灰には、未反応の中和薬剤が含まれることがある。この構成では、前記捕集灰に含まれる未反応の中和薬剤が、新たなプレコート層を形成する際に利用されることになる。
【００２２】
これにより、前記捕集灰の廃棄量が減少することになるので、この点でも前記捕集灰の後処理費用をさらに軽減するうえで有利になる。しかも、前記プレコート層を形成するための中和薬剤の使用量を節減していても、前記プレコート層による酸性ガスの中和作用を可及的に高めることが可能になる。
【００２３】
また、上記排ガス処理装置において、前記不活性剤は、珪藻土またはアルミナ等の１０〜４０μｍの粉体とされ、当該不活性剤が吹き込み前に磁化されて使用される、構成とすることも可能である。
【００２４】
この構成では、前記不活性剤と前記中和薬剤との混合物により前記プレコート層を形成した後、当該プレコート層を払落して捕集された捕集灰から前記磁化されている不活性剤を磁気分離することが可能になる。
【００２５】
このように前記捕集灰から前記不活性剤を磁気分離するようにした場合には、当該不活性剤を再度、不活性剤貯槽８ａに貯留させることによって、再利用することが可能になるので、前記不活性剤を使い捨てにする場合に比べて、ランニングコストの低減に貢献できるようになる。
【００２６】
上記排ガス処理装置において、前記プレコート手段は、前記薬剤を貯留するとともに要求に応じた量の薬剤を排出する薬剤供給装置と、前記不活性剤を貯留するとともに要求に応じた量の不活性剤を排出する不活性剤供給装置と、前記薬剤供給装置から所定量の前記薬剤を、また前記不活性剤供給装置から所定量の前記不活性剤をそれぞれ所定割合で取り出して混合して前記バグフィルタの排ガス導入口寄りの煙道にまとめて吹き込むための吹き込み装置と、前記各装置を制御するための制御装置と、を含み、前記制御装置は、排ガス処理中に前記プレコート手段を実行する必要があるか否かを判定し、肯定判定したときに前記プレコート手段を実行させる監視手段を含む、構成とすることが好ましい。
【００２７】
この構成では、要するに、プレコート手段を定期的に実行させるのではなく、必要な場合にのみプレコート手段を実行させるようにしているから、無駄が無くなる。これにより、中和薬剤の使用量を可及的に少なくすることが可能になるなど、ランニングコストの低減に貢献できるようになる。
【００２８】
また、本発明は、焼却炉から排出される排ガスを浄化するための排ガス処理方法であって、前記排ガスに含まれる粒子状物質を捕集するバグフィルタのろ布に、前記排ガスに含まれる酸性ガスの中和薬剤と前記酸性ガスに反応しない不活性剤との混合物からなるプレコート層を形成するプレコート処理を備え、前記プレコート処理では、前記バグフィルタ入口における酸性ガスの濃度を計測し、前記焼却炉の焼却運転を所定時間行うことに伴い発生する排ガス中の酸性ガスを中和処理するために必要な中和薬剤の量と、前記プレコート層を所定厚さにするために必要な吹込み量とをそれぞれ算出し、これらの算出結果に基づき前記中和薬剤に対する前記不活性剤の混合割合を算出し、この算出結果に基づいて混合した前記中和薬剤と前記不活性剤との混合物を前記バグフィルタの入口側の煙道に所定時間内でまとめて吹き込む、ことを特徴としている。
【００２９】
この構成では、要するに、プレコート層の材料として排ガス中の酸性ガス量に応じて中和薬剤にそれを嵩増しするための不活性剤の比率を決めて混合する形態にしている。
【００３０】
これにより、前記プレコート層を前記中和薬剤のみとする場合に比べて、前記中和薬剤の使用量を可及的に節減することが可能になるとともに、前記不活性剤が酸性ガスに反応しない安価な材料で良いことから、ランニングコストの低減に貢献できるようになる。
【００３１】
また、前記ろ布に形成している既存のプレコート層による中和作用が低減するなどした場合には、前記既存のプレコート層を払落してから新たなプレコート層を形成するのであるが、この払落とされた捕集灰に含まれる未反応の中和薬剤の量が、前記不活性剤を用いずに中和薬剤のみをプレコート材とする場合に比べると少なくなる。
【００３２】
そのため、前記捕集灰を廃棄処理する際に安定化するためのキレート剤の量を可及的に少なくすることが可能になるなど、前記捕集灰の後処理費用を軽減するうえで有利になる。
【発明の効果】
【００３３】
本発明に係る排ガス処理装置ならびに排ガス処理方法によれば、プレコート層を形成するときの中和薬剤の使用量を可及的に節減することが可能になるので、ランニングコストの低減に貢献できる。
【図面の簡単な説明】
【００３４】
【図１】本発明に係る排ガス処理装置の一実施形態の構成を模式的に示す図である。
【図２】図１の排ガス処理装置を用いた排ガス処理方法を説明するためのフローチャートを示す図である。
【図３】本発明に係る排ガス処理装置の他の実施形態の構成を模式的に示す図である。
【発明を実施するための形態】
【００３５】
以下、本発明を実施するための最良の実施形態について添付図面を参照して詳細に説明する。
【００３６】
図１および図２に、本発明の一実施形態を示している。図１に示すごみ焼却設備は、主として、焼却炉１、減温装置２、バグフィルタ３、誘引通風機４、煙突５などを備えている。
【００３７】
焼却炉１は、例えば図示しない一般廃棄物、産業廃棄物や所定梱包に入れられた感染性医療廃棄物などのごみを燃焼するものであり、焼却炉の型式は問わない。
【００３８】
減温装置２は、詳細に図示していないが、焼却炉１から排出される高温の排ガスを減温するものである。なお、この減温装置２は、単一の減温手段で構成したり、多段の減温手段で構成したりすることが可能である。
【００３９】
バグフィルタ３は、減温装置２で減温された排ガス中の煤塵などの粒子状物質を捕集するものであって、内容物に図示していないが所定数のろ布が装備されている。
【００４０】
バグフィルタ３の排ガス排出口（出口）寄りの煙道には、排ガスに含まれる酸性ガスのうちの塩化水素（ＨＣｌ）の濃度を連続的に計測するための第１センサ１１が設けられている。第１センサ１１は、例えば公知のレーザ式の分析計とされる。
【００４１】
また、バグフィルタ３の排ガス導入口（入口）寄りの煙道には、当該位置での圧力を連続的に計測するための第２センサ１２が設けられている。さらに、バグフィルタ３の排ガス排出口寄りの煙道において第１センサ１１の近傍位置には、当該位置での圧力を連続的に計測するための第３センサ１３が設けられている。また、バグフィルタ３の排ガス導入口（入口）寄りの煙道には、当該位置での塩化水素の濃度を連続的に計測するための第４センサ１４が設けられている。
【００４２】
誘引通風機４は、バグフィルタ３内の排ガスを吸引して、煙突５から大気中に放出させるものである。
【００４３】
この実施形態では、さらに、薬剤供給装置７、不活性剤供給装置８、払落し装置９、制御装置１０などを備えている。
【００４４】
薬剤供給装置７は、バグフィルタ３の上流側の煙道において排ガス導入口寄りの位置に中和薬剤を吹き込むものであって、薬剤貯槽７ａ、ブロワ７ｂ、切出装置７ｃなどを備えている。
【００４５】
薬剤貯槽７ａは、前記排ガス中の酸性ガスを中和するための薬剤を貯留するものである。前記中和薬剤としては、消石灰が用いられる。この消石灰は、例えば平均粒径１０〜２０μｍである。
【００４６】
ブロワ７ｂは、薬剤貯槽７ａ内の薬剤をバグフィルタ３の排ガス導入口寄りの煙道に吹き込むための搬送空気を発生するものである。切出装置７ｃは、薬剤貯槽７ａの排出口から薬剤を切り出すものである。
【００４７】
不活性剤供給装置８は、薬剤供給装置７から供給される中和薬剤と混合するための不活性剤を供給するものであって、不活性剤貯槽８ａ、ブロワ８ｂ、搬出装置８ｃ、第１、第２バルブ８ｄ，８ｅなどを備えている。
【００４８】
不活性剤貯槽８ａは、前記酸性ガスに反応しない不活性剤を貯留するものであって、この実施形態では、前記不活性剤として、例えばプレコート層を形成する際の前準備となる払落し処理によりバグフィルタ３のろ布から払落されて捕集された捕集灰を用いるようにしている。その関係より前記不活性剤貯槽８ａは捕集灰貯槽と言うことができる。
【００４９】
なお、前記捕集灰には、煤塵などの粒子状物質、前記中和薬剤と前記酸性ガスとの反応生成物、未反応の中和薬剤などが含まれている。
【００５０】
ブロワ８ｂは、不活性剤貯槽８ａ内の不活性剤を搬送させるための搬送空気を発生するものである。搬出装置８ｃは、不活性剤貯槽８ａの排出口から不活性剤を切り出すものである。
【００５１】
また、第１バルブ８ｄは、不活性剤貯槽８ａ内の不活性剤を薬剤供給装置７側へ供給可能な状態と、不可能な状態とに切り替えるものである。第２バルブ８ｅは、不活性剤貯槽８ａ内の不活性剤を捕集灰処理装置１５へ供給可能な状態と、不可能な状態とに切り替えるものである。
【００５２】
払落し装置９は、バグフィルタ３のろ布の付着物を払落して清掃するものであって、圧縮空気供給源９ａ、弁９ｂなどを備えている。
【００５３】
圧縮空気供給源９ａは、バグフィルタ３内のろ布を清掃するために用いる圧縮空気を発生するものである。弁９ｂは、圧縮空気供給源９ａで発生する圧縮空気をバグフィルタ３に供給可能とする量を制御するものである。
【００５４】
この払落し装置９は、圧縮空気供給源９ａで発生する圧縮空気をバグフィルタ３に排ガスろ過方向と逆向きに供給させることによって前記ろ布に付着している付着物を除去するようになっている。
【００５５】
制御装置１０は、後で詳細に説明するが、基本的に、バグフィルタ３出口の酸性ガス濃度が上昇し規定値Ｘを超過するなどした場合に、バグフィルタ３内のろ布の付着物を払落す払落し処理を実行してから、バグフィルタ３内のろ布に前記中和薬剤を付着させてプレコート層を形成するプレコート処理を実行する。
【００５６】
なお、前記プレコート処理を実行した状態では、排ガスが前記ろ布を通過する際に、当該排ガス中の酸性ガスが前記ろ布に付着されているプレコート層によって効率良く中和されて除去されることになる。
【００５７】
この実施形態では、中和薬剤の使用量を節減するために、制御装置１０により前記プレコート層を形成する際に、中和薬剤に不活性剤を混合したものを用いるようにしている。
【００５８】
次に、図２を参照して、この実施形態に係る排ガス処理装置を用いた排ガス処理方法を説明する。
【００５９】
ごみ焼却運転中は、焼却炉１内に一次燃焼空気を供給することにより廃棄物を焼却する。この焼却に伴い上昇する燃焼ガスに二次燃焼空気を供給することにより、前記燃焼ガスを再燃焼させる。この焼却炉１から排出される排ガスは、減温装置２を通過することにより減温されてから、バグフィルタ３に導入されることにより浄化され、煙突５から排出される。
【００６０】
まず、バグフィルタ３による排ガス処理中において、ステップＳ１，Ｓ２により前記プレコート処理を行う必要があるか否かを監視する。
【００６１】
具体的に、前記ステップＳ１では、第１センサ１１からの出力に基づいてバグフィルタ３の出口側の排ガスに含まれる酸性ガスの濃度を計測し、当該計測結果が所定の規定値Ｘ以上になったか否かを判定する。また、前記ステップＳ２では、第２、第３センサ１２，１３からの出力に基づいてバグフィルタ３の排ガス導入口側と排ガス排出口側との差圧を算出し、当該算出結果が所定の規定値Ｙ以上になったか否かを判定する。
【００６２】
そして、前記ステップＳ１で否定判定したときに前記ステップＳ２に移行し、このステップＳ２で否定判定したときに前記ステップＳ１に戻る。一方、前記ステップＳ１，Ｓ２のいずれか１つで肯定判定した場合、つまり前記プレコート処理を行う必要があると判定した場合には、ステップＳ３において払落し装置９によりバグフィルタ３のろ布を清掃する払落し処理を行う。但し、前記第１、第２ステップＳ１，Ｓ２は、同時に並行して行うことも可能である。
【００６３】
前記ステップＳ３では、制御装置１０が弁９ｂを所定タイミングで開閉作動させるとともに圧縮空気供給源９ａを所定時間作動させることにより、バグフィルタ３内に圧縮空気をパルス的にジェット噴射して、バグフィルタ３内のろ布表面の付着物を払い落とすようにする。この払落された灰は、不活性剤貯槽８ａに捕集されることになる。
【００６４】
このステップＳ３を実行した後、ステップＳ４〜Ｓ６によるプレコート処理を行う。
【００６５】
具体的に、ステップＳ４では、前回の払落し処理（ろ布表面の付着物払落し）からのバグフィルタ３入口の塩化水素の濃度を第４センサ１４で連続的に計測して、塩化水素の濃度とこの間の排ガス量から次の判定時間までに必要な中和薬剤量とを計算し、不活性剤との混合比率を決定する。
【００６６】
そして、ステップＳ５で、薬剤供給装置７により供給される中和薬剤に不活性剤供給装置８により供給される不活性剤を上記ステップＳ４で決定した所定割合で混合し、この混合物をバグフィルタ３の排ガス導入口寄りの煙道にまとめて吹き込み、ステップＳ６で供給を終了する。
【００６７】
なお、前記不活性剤の混合量は、焼却炉１のごみ焼却運転を所定時間行うことに伴い発生する排ガス中の酸性ガスを中和処理するために必要な中和薬剤の量と、前記プレコート層を所定厚さにするために必要な吹込み量とをそれぞれ算出し、これらの算出結果に基づき適宜に設定される。
【００６８】
このようなステップＳ４〜Ｓ６を繰り返すことにより、中和薬剤および不活性剤の混合物を供給し終わると、上記ステップＳ６で肯定判定して上記ステップＳ１に戻る。
【００６９】
以上説明したように、本発明を適用した実施形態では、プレコート層の材料として中和薬剤にそれを嵩増しするための不活性剤を混合する形態にしている。
【００７０】
これにより、前記プレコート層を前記中和薬剤のみとする場合に比べて、前記中和薬剤の使用量を可及的に節減することが可能になるとともに、前記不活性剤が酸性ガスに反応しない安価な材料で良いことから、ランニングコストの低減に貢献できるようになる。
【００７１】
また、バグフィルタ３のろ布に形成している既存のプレコート層による中和作用が低減するなどした場合には、前記既存のプレコート層を払落してから新たなプレコート層を形成するのであるが、この払落とされた捕集灰に含まれる未反応の中和薬剤の量が、前記不活性剤を用いずに中和薬剤のみをプレコート材とする場合に比べると少なくなる。
【００７２】
そのため、前記捕集灰を廃棄処理する際に安定化するためのキレート剤の量を可及的に少なくすることが可能になるなど、前記捕集灰の後処理費用を軽減するうえで有利になる。
【００７３】
さらに、この実施形態では、前記不活性剤を、未反応の中和薬剤が含まれる前記捕集灰にしているから、前記捕集灰の廃棄量が減少することになるので、この点でも前記捕集灰の後処理費用をさらに軽減するうえで有利になる。しかも、前記プレコート層を形成するための中和薬剤の使用量を節減していても、前記プレコート層による酸性ガスの中和作用を可及的に高めることが可能になる。
【００７４】
ところで、この実施形態の記載事項と特許請求の範囲の記載事項との対応関係について説明する。
【００７５】
上記ステップＳ１およびＳ２が特許請求の範囲に記載の「監視手段」に、ステップＳ３が特許請求の範囲に記載の「払落し手段」に、上記ステップＳ４〜Ｓ６が特許請求の範囲に記載の「プレコート手段、プレコート処理」に、それぞれ相当している。
【００７６】
また、この実施形態では、バグフィルタ３、薬剤供給装置７、不活性剤供給装置８、払落し装置９、制御装置１０などが、特許請求の範囲に記載の排ガス処理装置に相当している。さらに、この実施形態では、薬剤供給装置７、不活性剤供給装置８、制御装置１０などが、特許請求の範囲に記載の吹き込み装置として機能する。
【００７７】
なお、本発明は、上記実施形態のみに限定されるものではなく、特許請求の範囲内および当該範囲と均等の範囲内で適宜に変更することが可能である。
【００７８】
上記実施形態では、不活性剤として捕集灰を利用する例を挙げているが、本発明はこれのみに限定されるものではない。
【００７９】
本発明は、例えば前記不活性剤として、珪藻土またはアルミナ等の１０〜４０μｍの粉体とすることができる。
【００８０】
この場合には、不活性剤供給装置８は、例えば図３に示すように、不活性剤貯槽８ａを、前記珪藻土またはアルミナ等からなる不活性剤を貯留する専用の貯槽にするとともに、図１に示した第２バルブ８ｅを排除した構成になっている。この不活性剤供給装置８のその他の構成は、図１と基本的に同様になっている。
【００８１】
なお、払落し処理によりバグフィルタ３のろ布から払落される灰は、捕集灰処理装置１５に直接集められることになる。
【００８２】
ところで、バグフィルタ３のろ布からプレコート層を払落して捕集灰処理装置１５に捕集された捕集灰に含まれている前記不活性剤を再利用する場合には、当該捕集灰から不活性剤のみを分別する必要がある。
【００８３】
その場合、分別しやすくするために、前記不活性剤としての前記珪藻土またはアルミナ等を吹き込み前に磁化することが好ましい。
【００８４】
このようにした場合、前記不活性剤と前記中和薬剤との混合物でバグフィルタ３のろ布にプレコート層を形成した後、当該プレコート層を払落して捕集灰処理装置１５に捕集された捕集灰から前記磁化されている不活性剤を磁気分離することが可能になる。
【００８５】
このように前記捕集灰から前記不活性剤を磁気分離するようにした場合には、当該不活性剤を再度、不活性剤貯槽８ａに貯留させることによって、再利用することが可能になるので、前記不活性剤を使い捨てにする場合に比べて、ランニングコストの低減に貢献できるようになる。また、前記したような磁気分離で前記不活性剤を分別して回収する作業は、比較的簡単であるから、分別回収コストを軽減するうえで有利になる。
【産業上の利用可能性】
【００８６】
本発明は、焼却炉から排出される排ガスを浄化するための排ガス処理装置、ならびに排ガス処理方法に好適に利用することが可能である。
【符号の説明】
【００８７】
１  焼却炉
２  減温装置
３  バグフィルタ
４  誘引通風機
５  煙突
７  薬剤供給装置
７ａ  薬剤貯槽
７ｂ  ブロワ
７ｃ  切出装置
８  不活性剤供給装置
８ａ  不活性剤貯槽
８ｂ  ブロワ
８ｃ  搬出装置
８ｄ  第１バルブ
８ｅ  第２バルブ
９  払落し装置
９ａ  圧縮空気供給源
９ｂ  弁
１０  制御装置
１１  第１センサ
１２  第２センサ
１３  第３センサ
１４  第４センサ
１５  捕集灰処理装置
【図１】
2019070471.tif 000003
【図２】
2019070471.tif 000004
【図３】
2019070471.tif 000005